(57)【要約】【課題】記録材に綴じ処理を行う場合に、綴じ力の低下を抑制することができる記録材処理システムを提供する。【解決手段】記録材を挟んで押圧し、記録材の所定位置に綴じ処理を施す綴じ手段と、所定位置とその周辺に形成される画像を修正する修正手段と、を備え、修正手段は、綴じ手段による綴じ箇所数が複数個所数であるとき、綴じ箇所数が１箇所である場合に比べて、綴じ処理される位置から消去される画像の端部までの距離が大きくなるように画像を消去する。【選択図】図７
2020016802.tif 000002
【特許請求の範囲】
【請求項１】
記録材を挟んで押圧し、前記記録材の所定位置に綴じ処理を施す綴じ手段と、
前記所定位置とその周辺に形成される画像を修正する修正手段と、を備え、
前記修正手段は、前記綴じ手段による綴じの形態によって、前記所定位置から修正されない前記画像の端部までの距離を異ならせて修正する、
ことを特徴とする記録材処理システム。
【請求項２】
前記修正手段は、綴じ手段による綴じ箇所数が複数箇所数であるとき、前記綴じ箇所数が１箇所である場合に比べて、綴じ処理される位置から消去される前記画像の端部までの距離が大きくなるように前記画像を消去する、
ことを特徴とする請求項１に記載の記録材処理システム。
【請求項３】
前記修正手段は、綴じ手段による綴じ箇所数が複数箇所数であるとき、後に綴じ処理される位置から消去される前記画像の端部までの距離が、先に綴じ処理される位置から消去される前記画像の端部までの距離より大きくなるように前記画像を消去する、
ことを特徴とする請求項１に記載の記録材処理システム。
【請求項４】
前記修正手段は、綴じ手段による綴じ箇所数が複数箇所数であるとき、前記綴じ箇所数が１箇所である場合に比べて、綴じ処理される最初の記録材を除いた記録材に対して綴じ処理される位置から消去される前記画像の端部までの距離が大きくなるように前記画像を消去する、
ことを特徴とする請求項１に記載の記録材処理システム。
【請求項５】
前記修正手段は、綴じ手段による綴じ箇所数が複数箇所数であるとき、綴じ枚数が多いほど、綴じ処理される位置から消去される前記画像の端部までの距離が大きくなるように前記画像を消去する、
ことを特徴とする請求項１に記載の記録材処理システム。
【請求項６】
前記修正手段は、綴じ手段による綴じ箇所数が複数箇所数であるとき、環境湿度が高いほど、綴じ処理される位置から消去される前記画像の端部までの距離が大きくなるように前記画像を消去する、
ことを特徴とする請求項１に記載の記録材処理システム。
【請求項７】
前記修正手段は、綴じ手段による綴じ箇所数が複数箇所数であるとき、前記記録材の表面が平滑の場合に比べて前記表面が粗い場合の方が、綴じ処理される位置から消去される前記画像の端部までの距離が大きくなるように前記画像を消去する、
ことを特徴とする請求項１に記載の記録材処理システム。
【請求項８】
前記修正手段は、綴じ手段による綴じ箇所数が複数箇所数であるとき、前記記録材のカールが発生しやすい方が、綴じ処理される位置から消去される前記画像の端部までの距離が大きくなるように前記画像を消去する、
ことを特徴とする請求項１に記載の記録材処理システム。
【請求項９】
前記綴じ手段による綴じ箇所数が複数箇所数である場合、綴じ処理される位置から消去される前記画像の端部までの距離を変更するか選択するための表示を行う、
ことを特徴とする請求項１ないし８のいずれか１項に記載の記録材処理システム。
【請求項１０】
前記綴じ手段による綴じ箇所数が複数箇所数である場合、綴じ処理される位置から消去される前記画像の端部までの距離を指定するための表示を行う、
ことを特徴とする請求項１ないし８のいずれか１項に記載の記録材処理システム。
【請求項１１】
前記綴じ手段による綴じ箇所数が複数箇所数である場合、綴じ枚数が多いほど、綴じ処理される位置から消去される前記画像の端部までの距離を変更するか選択するための表示を行う、
ことを特徴とする請求項１ないし８のいずれか１項に記載の記録材処理システム。
【請求項１２】
前記綴じ手段による綴じ箇所数が複数箇所数である場合、環境湿度が高いほど、綴じ処理される位置から消去される前記画像の端部までの距離を変更するか選択するための表示を行う、
ことを特徴とする請求項１ないし８のいずれか１項に記載の記録材処理システム。
【請求項１３】
前記綴じ手段による綴じ箇所数が複数箇所数である場合、前記記録材の表面が平滑の場合に比べて前記表面が粗い場合の方が、綴じ処理される位置から消去される前記画像の端部までの距離を変更するか選択するための表示を行う、
ことを特徴とする請求項１ないし８のいずれか１項に記載の記録材処理システム。
【請求項１４】
前記綴じ手段による綴じ箇所数が複数箇所数である場合、前記記録材がカールが発生しやすい方が、綴じ処理される位置から消去される前記画像の端部までの距離を変更するか選択するための表示を行う、
ことを特徴とする請求項１ないし８のいずれか１項に記載の記録材処理システム。
【請求項１５】
前記修正手段は、前記記録材の側辺に沿わない角度で綴じ処理がなされる場合、前記記録材の側辺に沿って綴じ処理がなされる場合に比べて、綴じ処理される位置から修正される前記画像の端部までの距離が小さくなるように前記画像を修正する、
ことを特徴とする請求項１に記載の記録材処理システム。
【請求項１６】
前記修正手段は、前記記録材の側辺に対する前記綴じ処理の綴じ角度が小さいほど、綴じ処理される位置から修正される前記画像の端部までの距離が大きくなるように前記画像を修正する、
ことを特徴とする請求項１５に記載の記録材処理システム。
【請求項１７】
前記修正手段は、前記画像の画像情報に応じて、綴じ処理される位置から修正される前記画像の端部までの距離を変更する、
ことを特徴とする請求項１５に記載の記録材処理システム。
【請求項１８】
前記修正手段は、前記記録材の側辺同士が交差する角部に向って綴じ処理がなされる場合、綴じ処理される位置に前記画像がかかるように前記画像を修正する、
ことを特徴とする請求項１５ないし１７のいずれか１項に記載の記録材処理システム。
【請求項１９】
前記綴じ手段による前記綴じ角度が変更された場合、綴じ処理される位置から修正される前記画像の端部までの距離を変更するか選択するための表示を行う、
ことを特徴とする請求項１５ないし１８のいずれか１項に記載の記録材処理システム。
【請求項２０】
前記綴じ手段による前記綴じ角度が変更された場合、綴じ処理される位置から修正される前記画像の端部までの距離を指定するための表示を行う、
ことを特徴とする請求項１５ないし１８のいずれか１項に記載の記録材処理システム。
【請求項２１】
前記画像の画像情報に応じて、綴じ処理される位置から修正される前記画像の端部までの距離を変更するか選択するための表示を行う、
ことを特徴とする請求項１５ないし１８のいずれか１項に記載の記録材処理システム。
【請求項２２】
前記修正手段は、前記綴じ処理の綴じ角度に応じて、前記画像の縮小又は移動の基点を異ならせて、綴じ処理される位置から修正される前記画像の端部までの距離を変更する、
ことを特徴とする請求項１５ないし１８のいずれか１項に記載の記録材処理システム。
【請求項２３】
前記修正手段は、前記記録材の側辺同士が交差する角部に向って綴じ処理がなされる場合、前記記録材に対する前記画像の向きに応じて、綴じ処理される位置と前記画像の端部までの距離が最も短い領域の画像を修正する、
ことを特徴とする請求項１５ないし１８のいずれか１項に記載の記録材処理システム。
【発明の詳細な説明】
【技術分野】
【０００１】
本発明は、記録材処理システムに関する。
【背景技術】
【０００２】
画像データに基づきシートにトナー画像を形成する画像形成部と、トナー画像が形成された複数のシートを積載するシート積載部と、それぞれ凹凸部を有する一対の歯型部材を噛合い可能に設け、シート積載部に積載された複数のシートを一対の歯型部材で噛み込んで綴じる綴じ部と、綴じ部により綴じ処理されるシートの領域において、シート面がトナーに覆われる領域が占める割合が所定の値以下となるよう画像データを修正する修正部と、を備えた画像形成システムが知られている（特許文献１）。
【０００３】
複数のシートを針を用いずに綴じる綴じ処理を行う綴じ手段と、画像データをシートに印刷する印刷手段と、綴じ手段が綴じ処理する位置に、印刷手段が画像データを印刷しないように画像データを加工する画像処理手段と、を備える印刷装置も知られている（特許文献２）。
【先行技術文献】
【特許文献】
【０００４】
【特許文献１】特開２０１４−０２９４９２号公報
【特許文献２】特開２０１４−１０８５２５号公報
【発明の概要】
【発明が解決しようとする課題】
【０００５】
本発明は、記録材に綴じ処理を行う場合に、綴じ力の低下を抑制することができる記録材処理システムを提供する。
【課題を解決するための手段】
【０００６】
前記課題を解決するために、請求項１に記載の記録材処理システムは、
記録材を挟んで押圧し、前記記録材の所定位置に綴じ処理を施す綴じ手段と、
前記所定位置とその周辺に形成される画像を修正する修正手段と、を備え、
前記修正手段は、前記綴じ手段による綴じの形態によって、前記所定位置から修正されない前記画像の端部までの距離を異ならせて修正する、
ことを特徴とする。
【０００７】
請求項２記載の発明は、請求項１に記載の記録材処理システムにおいて、
前記修正手段は、綴じ手段による綴じ箇所数が複数箇所数であるとき、前記綴じ箇所数が１箇所である場合に比べて、綴じ処理される位置から消去される前記画像の端部までの距離が大きくなるように前記画像を消去する、
ことを特徴とする。
【０００８】
請求項３記載の発明は、請求項１に記載の記録材処理システムにおいて、
前記修正手段は、綴じ手段による綴じ箇所数が複数箇所数であるとき、後に綴じ処理される位置から消去される前記画像の端部までの距離が、先に綴じ処理される位置から消去される前記画像の端部までの距離より大きくなるように前記画像を消去する、
ことを特徴とする。
【０００９】
請求項４記載の発明は、請求項１に記載の記録材処理システムにおいて、
前記修正手段は、綴じ手段による綴じ箇所数が複数箇所数であるとき、前記綴じ箇所数が１箇所である場合に比べて、綴じ処理される最初の記録材を除いた記録材に対して綴じ処理される位置から消去される前記画像の端部までの距離が大きくなるように前記画像を消去する、
ことを特徴とする。
【００１０】
請求項５記載の発明は、請求項１に記載の記録材処理システムにおいて、
前記修正手段は、綴じ手段による綴じ箇所数が複数箇所数であるとき、綴じ枚数が多いほど、綴じ処理される位置から消去される前記画像の端部までの距離が大きくなるように前記画像を消去する、
ことを特徴とする。
【００１１】
請求項６記載の発明は、請求項１に記載の記録材処理システムにおいて、
前記修正手段は、綴じ手段による綴じ箇所数が複数箇所数であるとき、環境湿度が高いほど、綴じ処理される位置から消去される前記画像の端部までの距離が大きくなるように前記画像を消去する、
ことを特徴とする。
【００１２】
請求項７記載の発明は、請求項１に記載の記録材処理システムにおいて、
前記修正手段は、綴じ手段による綴じ箇所数が複数箇所数であるとき、前記記録材の表面が平滑の場合に比べて前記表面が粗い場合の方が、綴じ処理される位置から消去される前記画像の端部までの距離が大きくなるように前記画像を消去する、
ことを特徴とする。
【００１３】
請求項８記載の発明は、請求項１に記載の記録材処理システムにおいて、
前記修正手段は、綴じ手段による綴じ箇所数が複数箇所数であるとき、前記記録材のカールが発生しやすい方が、綴じ処理される位置から消去される前記画像の端部までの距離が大きくなるように前記画像を消去する、
ことを特徴とする。
【００１４】
請求項９記載の発明は、請求項１ないし８のいずれか１項に記載の記録材処理システムにおいて、
前記綴じ手段による綴じ箇所数が複数箇所数である場合、綴じ処理される位置から消去される前記画像の端部までの距離を変更するか選択するための表示を行う、
ことを特徴とする。
【００１５】
請求項１０記載の発明は、請求項１ないし８のいずれか１項に記載の記録材処理システムにおいて、
前記綴じ手段による綴じ箇所数が複数箇所数である場合、綴じ処理される位置から消去される前記画像の端部までの距離を指定するための表示を行う、
ことを特徴とする。
【００１６】
請求項１１記載の発明は、請求項１ないし８のいずれか１項に記載の記録材処理システムにおいて、
前記綴じ手段による綴じ箇所数が複数箇所数である場合、綴じ枚数が多いほど、綴じ処理される位置から消去される前記画像の端部までの距離を変更するか選択するための表示を行う、
ことを特徴とする。
【００１７】
請求項１２記載の発明は、請求項１ないし８のいずれか１項に記載の記録材処理システムにおいて、
前記綴じ手段による綴じ箇所数が複数箇所数である場合、環境湿度が高いほど、綴じ処理される位置から消去される前記画像の端部までの距離を変更するか選択するための表示を行う、
ことを特徴とする。
【００１８】
請求項１３記載の発明は、請求項１ないし８のいずれか１項に記載の記録材処理システムにおいて、
前記綴じ手段による綴じ箇所数が複数箇所数である場合、前記記録材の表面が平滑の場合に比べて前記表面が粗い場合の方が、綴じ処理される位置から消去される前記画像の端部までの距離を変更するか選択するための表示を行う、
ことを特徴とする。
【００１９】
請求項１４記載の発明は、請求項１ないし８のいずれか１項に記載の記録材処理システムにおいて、
前記綴じ手段による綴じ箇所数が複数箇所数である場合、前記記録材のカールが発生しやすい方が、綴じ処理される位置から消去される前記画像の端部までの距離を変更するか選択するための表示を行う、
ことを特徴とする。
【００２０】
請求項１５記載の発明は、請求項１に記載の記録材処理システムは、
前記修正手段は、前記記録材の側辺に沿わない角度で綴じ処理がなされる場合、前記記録材の側辺に沿って綴じ処理がなされる場合に比べて、綴じ処理される位置から修正される前記画像の端部までの距離が小さくなるように前記画像を修正する、
ことを特徴とする。
【００２１】
請求項１６記載の発明は、請求項１５に記載の記録材処理システムにおいて、
前記修正手段は、前記記録材の側辺に対する前記綴じ処理の綴じ角度が小さいほど、綴じ処理される位置から修正される前記画像の端部までの距離が大きくなるように前記画像を消去する、
ことを特徴とする。
【００２２】
請求項１７記載の発明は、請求項１５に記載の記録材処理システムにおいて、
前記修正手段は、前記画像の画像情報に応じて、綴じ処理される位置から修正される前記画像の端部までの距離を変更する、
ことを特徴とする。
【００２３】
請求項１８記載の発明は、請求項１５ないし１７のいずれか１項に記載の記録材処理システムにおいて、
前記修正手段は、前記記録材の側辺同士が交差する角部に向って綴じ処理がなされる場合、綴じ処理される位置に前記画像がかかるように前記画像を修正する、
ことを特徴とする。
【００２４】
請求項１９記載の発明は、請求項１５ないし１８のいずれか１項に記載の記録材処理システムにおいて、
前記綴じ手段による前記綴じ角度が変更された場合、綴じ処理される位置から修正される前記画像の端部までの距離を変更するか選択するための表示を行う、
ことを特徴とする。
【００２５】
請求項２０記載の発明は、請求項１５ないし１８のいずれか１項に記載の記録材処理システムにおいて、
前記綴じ手段による前記綴じ角度が変更された場合、綴じ処理される位置から修正される前記画像の端部までの距離を指定するための表示を行う、
ことを特徴とする。
【００２６】
請求項２１記載の発明は、請求項１５ないし１８のいずれか１項に記載の記録材処理システムにおいて、
前記画像の画像情報に応じて、綴じ処理される位置から修正される前記画像の端部までの距離を変更するか選択するための表示を行う、
ことを特徴とする。
【００２７】
請求項２２記載の発明は、請求項１５ないし１８のいずれか１項に記載の記録材処理システムにおいて、
前記修正手段は、前記綴じ処理の綴じ角度に応じて、前記画像の縮小又は移動の基点を異ならせて、綴じ処理される位置から修正される前記画像の端部までの距離を変更する、
ことを特徴とする。
【００２８】
請求項２３記載の発明は、請求項１５ないし１８のいずれか１項に記載の記録材処理システムにおいて、
前記修正手段は、前記記録材の側辺同士が交差する角部に向って綴じ処理がなされる場合、前記記録材に対する前記画像の向きに応じて、綴じ処理される位置と前記画像の端部までの距離が最も短い領域の画像を修正する、
ことを特徴とする。
【発明の効果】
【００２９】
請求項１に記載の発明によれば、記録材に複数箇所の綴じ処理を行う場合に、綴じ力の低下を抑制することができる。
【００３０】
請求項２に記載の発明によれば、記録材に複数箇所の綴じ処理を行う場合に、綴じ力の低下を抑制することができる。
【００３１】
請求項３に記載の発明によれば、記録材に複数箇所の綴じ処理を行う場合に、綴じ力の低下を抑制することができる。
【００３２】
請求項４に記載の発明によれば、消去する画像を少なくすることができる。
【００３３】
請求項５に記載の発明によれば、記録材の枚数が多い場合に、綴じ力の低下を抑制することができる。
【００３４】
」
請求項６に記載の発明によれば、環境湿度が高い場合に、綴じ力の低下を抑制することができる。
【００３５】
請求項７に記載の発明によれば、記録材の表面が粗い場合に、綴じ力の低下を抑制することができる。
【００３６】
請求項８に記載の発明によれば、記録材がカールしやすい場合に、綴じ力の低下を抑制することができる。
【００３７】
請求項９に記載の発明によれば、画像を消去する量を変更するか確認することができる。
【００３８】
請求項１０に記載の発明によれば、画像を消去する量を指定することができる。
【００３９】
請求項１１に記載の発明によれば、綴じ枚数が多い場合に、画像を消去する量を変更するかの確認を促すことができる。
【００４０】
請求項１２に記載の発明によれば、環境湿度が高い場合に、画像を消去する量を変更するかの確認を促すことができる。
【００４１】
請求項１３に記載の発明によれば、記録材の表面が粗い場合に、画像を消去する量を変更するかの確認を促すことができる。
【００４２】
請求項１４に記載の発明によれば、記録材がカールしやすい場合に、画像を消去する量を変更するか確認することができる。
【００４３】
請求項１５に記載の発明によれば、綴じ方向が記録材の側辺に沿わない角度で綴じ処理がなされる場合に、消去する画像を少なくしつつ、綴じ力の低下を抑制することができる。
【００４４】
請求項１６に記載の発明によれば、綴じ角度に応じて、消去する画像を少なくしつつ、綴じ力の低下を抑制することができる。
【００４５】
請求項１７に記載の発明によれば、画像の画像情報に応じて、綴じ力の低下を抑制することができる。
【００４６】
請求項１８に記載の発明によれば、綴じ方向が記録材の側辺に沿わない場合に、消去する画像を少なくすることができる。
【００４７】
請求項１９に記載の発明によれば、綴じ角度が変更された場合に、綴じ処理位置から画像の端部までの距離を変更するかの確認を促すことができる。
【００４８】
請求項２０に記載の発明によれば、綴じ角度が変更された場合に、綴じ処理位置から画像の端部までの距離を指定することができる。
【００４９】
請求項２１に記載の発明によれば、画像の画像情報に応じて、綴じ処理位置から画像の端部までの距離を変更するかの確認を促すことができる。
【００５０】
請求項２２に記載の発明によれば、綴じ処理の綴じ角度に応じて、消去する画像を少なくすることができる。
【００５１】
請求項２３に記載の発明によれば、画像の向きに応じて、綴じ力の低下を抑制することができる。
【図面の簡単な説明】
【００５２】
【図１】第１実施形態に係る記録材処理システムを示す概略構成図である。
【図２】綴じ処理機構の全体構成を示す平面模式図である。
【図３】（ａ）はコンパイルトレイ周辺の構成を示す断面模式図、（ｂ）は平面模式図である。
【図４】針無し綴じ部を説明するための図である。
【図５】針無し綴じによる綴じ処理を説明する断面模式図である。
【図６】記録材処理システムの機能構成を示すブロック図である。
【図７】記録材処理システムにおける綴じ処理の流れを示すフローチャートである。
【図８】記録材処理システムにおける綴じ処理を説明する図である。
【図９】変形例１に係る記録材処理システムにおける綴じ処理を説明する図である。
【図１０】変形例２に係る記録材処理システムにおける綴じ処理を説明する図である。
【図１１】綴じ箇所数が複数箇所数である場合の選択画面の表示例を示す図である。
【図１２】綴じ箇所数が複数箇所数である場合の選択画面におけるユーザによる選択のための表示例を示す図である。
【図１３】変形例３に係る記録材処理システムにおける綴じ処理の流れを示すフローチャートである。
【図１４】変形例３に係る記録材処理システムにおける綴じ処理を説明する図である。
【図１５】変形例４に係る記録材処理システムにおける綴じ処理を説明する図である。
【図１６】綴じ枚数に応じて操作表示部に表示される表示例を示す図である。
【図１７】変形例５に係る記録材処理システムにおける綴じ処理時に操作表示部に表示される表示例を示す図である。
【図１８】変形例６に係る記録材処理システムにおける綴じ処理時に操作表示部に表示される表示例を示す図である。
【図１９】変形例７に係る記録材処理システムにおける綴じ処理を説明する模式図である。
【図２０】変形例７に係る記録材処理システムにおける綴じ処理時に操作表示部に表示される表示例を示す図である。
【図２１】第２実施形態に係る記録材処理システムにおける綴じ処理の流れを示すフローチャートである。
【図２２】第２実施形態に係る記録材処理システムにおける綴じ処理を説明する図である。
【図２３】変形例１に係る記録材処理システムにおける綴じ処理を説明する模式図である。
【図２４】綴じ角度が変更された場合に操作表示部に表示される表示例を示す図である。
【図２５】綴じ角度が変更された場合の選択画面におけるユーザによる選択のための表示例を示す図である。
【図２６】変形例２に係る記録材処理システムにおける綴じ処理を説明する模式図である。
【図２７】変形例３に係る記録材処理システムにおける綴じ処理時に操作表示部に表示される表示例を示す図である。
【図２８】変形例４に係る記録材処理システムにおける綴じ処理の流れを示すフローチャートである。
【図２９】変形例４に係る記録材処理システムにおける綴じ処理を説明する図である。
【図３０】変形例５に係る記録材処理システムにおける綴じ処理を説明する図である。
【発明を実施するための形態】
【００５３】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００５４】
（１）記録材処理システムの全体構成及び動作
図１は本実施形態に係る記録材処理システム１００を示す概略構成図である。図１に示す記録材処理システム１００は、電子写真方式によって画像を形成するプリンタや複写機等の画像形成装置１と、画像形成装置１によってトナー像が形成された記録材としての用紙Ｐに後処理を施す用紙処理装置２とを備えている。以下、図面を参照しながら、記録材処理システム１００の全体構成及び動作を説明する。
【００５５】
（１．１）画像形成装置の全体構成と動作
画像形成装置１は、画像形成部１０と、画像形成部１０の下部に装着された給紙装置２０と、操作表示部３０と、画像処理部４０と、システム制御装置５０と、を備えて構成され、プリント機能が実行されることにより、画像が用紙等の記録材上に印刷される。画像形成装置１の上面（Ｚ方向）には、搬送装置９０が配置され、画像が記録された記録材としての用紙Ｐが後処理装置２００へと導かれる。
【００５６】
画像形成部１０は、露光装置１２、感光体ユニット１３、現像装置１４、転写装置１５、定着装置１６、を備えて構成され、画像処理部４０から受け取った画像情報を給紙装置２０から送り込まれた用紙Ｐ上にトナー像として形成する。
【００５７】
画像形成部１０の底部には、用紙トレイ２１を有する給紙装置２０が設けられ、画像形成部１０に対する用紙供給を行う。
【００５８】
画像形成装置１の前面側には、ユーザーインターフェイスとしての操作表示部３０が配置されている。操作表示部３０は、液晶表示パネル、各種操作ボタン、タッチパネル等を組み合わせて構成され、画像形成装置１のユーザは、操作表示部３０を介して各種の設定や指示の入力を行う。また、液晶表示パネルを介して画像形成装置１の利用者へ各種情報を表示する。
【００５９】
画像処理部４０は、外部機器（デジタルカメラ、携帯端末、パーソナルコンピュータ等等）から取り込まれた印刷情報から画像データを生成するとともに、画像データに種々の画像処理を行う。
【００６０】
このような構成の画像形成装置１では、画像形成のタイミングに合わせて給紙装置２０から、印刷ジョブで指定された用紙Ｐが画像形成部１０へ送り込まれる。
【００６１】
感光体ユニット１３は、給紙装置２０の上方に、それぞれが並列して設けられ、回転駆動する感光体ドラム３１を備えている。露光装置１２により静電潜像が形成されたそれぞれの感光体ドラム３１上には、それぞれの現像装置１４によってイエロー（Ｙ）、マゼンタ（Ｍ）、シアン（Ｃ）、黒（Ｋ）のトナー像が形成される。
【００６２】
各感光体ユニット１３の感光体ドラム３１に形成された各色トナー像は、転写装置１５の中間転写ベルト５１上に順次静電転写（一次転写）され、各色トナーが重畳された重畳トナー像が形成される。中間転写ベルト５１上の重畳トナー像は、レジストローラ対２４から送り出され、搬送ガイドにより案内された用紙Ｐに二次転写ローラ５２によって一括転写される。  
【００６３】
定着装置１６は一対の加熱モジュール１６Ａと加圧モジュール１６Ｂの圧接領域によって定着ニップ部ＮＰ（定着領域）が形成される。
転写装置１５においてトナー像が一括転写された用紙は、トナー像が未定着の状態で搬送ガイドを介して定着装置１６の定着ニップ部ＮＰに搬送され、一対の加熱モジュール１６Ａと加圧モジュール１６Ｂにより、圧着と加熱の作用でトナー像が定着される。
【００６４】
定着トナー像が形成された用紙Ｐは、搬送ガイドによってガイドされ、排出ローラ対６９から画像形成部１０の上面に配置された搬送装置９０へ排出される。
【００６５】
（１．２）用紙処理装置の構成と動作
用紙処理装置２は、画像形成装置１から出力された用紙Ｐを更に下流側に搬送する搬送装置９０と、搬送装置９０から搬入された用紙Ｐに対して、用紙Ｐを揃えて束ねるコンパイルトレイ２１０や用紙Ｐの端部を綴じる綴じ処理機構（ステープラ）２２０、中綴じ折り処理を施して冊子を作製する中綴じ折り処理機構２３０などを含む後処理装置２００とを備えている。
【００６６】
搬送装置９０は、画像形成装置１の排出ローラ対６９を介して出力される用紙Ｐを受け取る入口ローラ９１と、この入口ローラ９１にて受け取られた用紙Ｐを下流側へと搬送する第１搬送ローラ９２と、後処理装置２００に向けて用紙Ｐを搬送する第２搬送ローラ９３とを有する。
【００６７】
後処理装置２００は、搬送装置９０を介して用紙Ｐを受け取る受け取りローラ２０１の下流側に、記録材搬送部として、第１後処理搬送路Ｑ１、第２後処理搬送路Ｑ２、第３後処理搬送路Ｑ３、第４後処理搬送路Ｓ４を有し、第１後処理搬送路Ｑ１、第２後処理搬送路Ｑ２と第４後処理搬送路Ｓ４は切り替えゲートＧ１により選択されるようになっている。また、第１後処理搬送路Ｑ１と第２後処理搬送路Ｑ２は切り替えゲートＧ２によって選択される。
【００６８】
第１後処理搬送路Ｑ１は、トップトレイＴＲ１に接続されており、この第１後処理搬送路Ｑ１からは後処理がなされない用紙Ｐが排出される。
第２後処理搬送路Ｑ２は、下流側に設けられたコンパイルトレイ２１０に接続されており、綴じ処理機構２２０で作成された用紙束ＰＢがスタッカトレイＴＲ２に排出される。
第３後処理搬送路Ｑ３は、第２後処理搬送路Ｑ２の途中から分岐して設けられ、コンパイルトレイ２１０側から逆転搬送される用紙Ｐを一時的に保持する。
第４後処理搬送路Ｓ４は、中綴じ折り処理機構２３０に接続されおり、中綴じ折り処理機構２３０で作成された冊子が冊子トレイＴＲ３に排出される。  
【００６９】
（２）綴じ処理機構
図２は綴じ処理機構２２０の全体構成を示す平面模式図、図３（ａ）はコンパイルトレイ２１０周辺の構成を示す断面模式図、（ｂ）は平面模式図、図４は針無し綴じ部２２２を説明するための図、図５は針無し綴じによる綴じ処理を説明する断面模式図である。
【００７０】
（２．１）綴じ処理機構の全体構成
綴じ処理機構２２０は、図２に示すように、コンパイルトレイ２１０で集積され束ねられた用紙束ＰＢに対して、ステープル（針）を用いて綴じ処理（針有り綴じ）針有り綴じ部２２１と、ステープル（針）を用いずに綴じ処理（針無し綴じ）を行う針無し綴じ部２２２とを備えている。そして、綴じ処理機構２２０は、印刷設定に応じて用紙束ＰＢに対する針有り綴じ処理及び針無し綴じ処理が選択可能になっているが、綴じ処理機構２２０は、針無し綴じ部２２２だけの構成であってもよい。
【００７１】
（２．２）コンパイルトレイ
コンパイルトレイ２１０は、用紙Ｐを積載する底部２１０ａの上面に沿って用紙Ｐが落下するよう傾斜して設けられ、図３（ａ）に示すように、一端側には底部２１０ａに沿って落下する用紙Ｐの後端側の端部を揃えるよう配置されたエンドガイド２１０ｂを有する。
コンパイルトレイ２１０の上方にはパドル２１７が設けられている。パドル２１７は、図３（ａ）の矢印方向に回転することで、第１の進行方向Ｆ１方向（図４中に図示）に沿って搬送された用紙Ｐを、コンパイルトレイ２１０上で第２の進行方向Ｆ２（図３（ａ）中に図示）に押し込むよう構成されている。
【００７２】
コンパイルトレイ２１０の中間部には、用紙Ｐを幅方向に整列するタンパ２１８が第２の進行方向Ｆ２と交差する方向で、モータ（不図示）の駆動を受けて互いの距離が変化するように設けられている。
【００７３】
コンパイルトレイ２１０の先端側には、イジェクトローラ（用紙束搬送ローラ）２１３が設けられている。イジェクトローラ（用紙束搬送ローラ）２１３は、第１イジェクトローラ２１３ａと第２イジェクトローラ２１３ｂとからなる。
第１イジェクトローラ２１３ａは、モータ等（不図示）の駆動を受けて第２イジェクトローラ２１３ｂに対して進退可能に備えられている。第２イジェクトローラ２１３ｂは、コンパイルトレイ２１０の底部２１０ａの用紙Ｐが積載される面の裏面側に固定して配置されており、回転運動のみを行うよう備えられている。
そして、第１イジェクトローラ２１３ａが用紙Ｐに接触した状態で第２イジェクトローラ２１３ｂが回転駆動され、用紙束ＰＢを上昇させてスタッカトレイＴＲ２上へ搬送する。
【００７４】
（２．３）綴じ処理動作
図２に示すように、綴じ処理機構２２０は、針有り綴じ部２２１及び針無し綴じ部２２２の移動を案内する案内部２２５を有し、針有り綴じ部２２１及び針無し綴じ部２２２は、それぞれの待機位置から案内部２２５に沿って移動して、用紙束ＰＢの所定の綴じ位置に綴じ処理をする。
案内部２２５は、幅方向に延びる共通路２２５ａと、共通路２２５ａの一端に位置する分岐点２２５ｂと、分岐点２２５ｂを介して共通路２２５ａと連続する針無し路２２５ｃ及び針有り路２２５ｄを有している。
【００７５】
針有り綴じ部２２１は、分岐点２２５ｂを介して共通路２２５a及び針有り路２２５ｄとの間で移動可能になっている（図２中  矢印Ｄ１参照）。針無し綴じ部２２２は、分岐点２２５ｂを介して共通路２２５a及び針無し路２２５ｃとの間で移動可能になっている（図２中  矢印Ｄ２参照）。
後処理装置２００は、このような移動経路を切り替えることで、針有り綴じ部２２１及び針無し綴じ部２２２を予め定めた待機位置に誘導して、綴じ処理に応じて、針有り綴じ部２２１及び針無し綴じ部２２２が、案内部２２５内を所定の位置まで移動してそれぞれの綴じ処理が行われる。
【００７６】
綴じ処理機構２２０は、用紙束ＰＢを構成する用紙Ｐの枚数が予め定められた枚数を越える場合に、針有り綴じ部２２１がステープル（針）を用いた針有り綴じを行い、枚数がこの予め定められた枚数以下の場合、針無し綴じ部２２２がステープル（針）を用いずに針無し綴じを行う。
【００７７】
図４（ａ）は、針無し綴じ部２２２の概略を斜視図として示した図であり、図４（ｂ）は、針無し綴じ部２２２によって綴じ処理が施された用紙束ＰＢの端部を示した図である。
針無し綴じ部２２２は、互いに接近することによって用紙Ｐの端部を加工するために圧力を供給する押圧部２２２Ａと、押圧部２２２Ａからの圧力を受けて用紙束ＰＢを綴じるよう用紙Ｐを加工するエンボス痕形成部２２２Ｂとを有する。
【００７８】
押圧部２２２Ａは、コンパイルトレイ２１０（図３参照）にて生成された用紙束ＰＢの画像形成面側に対向するように配置される上側押圧部２２２Ａａと、用紙束ＰＢの画像形成面とは反対側の面に対向するように配置される下側押圧部２２２Ａｂとからなる。上側押圧部２２２Ａａは、不図示の上側押圧部モータによって下側押圧部２２２Ａｂに対して進退可能に設けられている。そして、上側押圧部２２２Ａａと下側押圧部２２２Ａｂは、コンパイルトレイ２１０にて生成された用紙束ＰＢに対して圧力を加えるように構成されている。
【００７９】
エンボス痕形成部２２２Ｂは、下側押圧部２２２Ａｂに向けて突出する凸部２２２Ｂａと、凸部２２２Ｂａの形状に対応する凹凸を有する受け部２２２Ｂｂとからなり、その間に挿入される用紙束ＰＢを加工するように構成されている。
凸部２２２Ｂａの凹凸が形成された面と受け部２２２Ｂｂの凹凸が形成された面とは略平行であり、凸部２２２Ｂａの凸となっている箇所と、受け部２２２Ｂｂの凹となっている箇所とが噛み合うように配置されている。そして、押圧部２２２Ａによって圧力を受ける際に凸部２２２Ｂａと受け部２２２Ｂｂとが噛み合うことで、用紙束ＰＢを加工するように構成されている。
【００８０】
図４（ｂ）に示すように、加工された用紙Ｐ（用紙束ＰＢ）の部分には、凸部２２２Ｂａと受け部２２２Ｂｂとの形状に対応し用紙Ｐの重なり方向に跨った凹凸が形成される。これにより、加工された用紙Ｐの部分では、用紙Ｐを構成する繊維が破断され、用紙Ｐ同士が圧着され、ステープル（針）を用いずに用紙束ＰＢを綴じるエンボス痕Ｅが形成される。
【００８１】
一方、このようなステープル（針）を用いない針無し綴じの方式では、綴じ部にトナーが乗っている場合に圧着力が低下してしまう虞がある。
図５（ａ）は、３枚の用紙Ｐを綴じ合わせようとしている状態を示している。綴じ部（圧着部）では、凸部２２２Ｂａと受け部２２２Ｂｂが、用紙Ｐを挟み込むように準備されている。この３枚の用紙Ｐの中に、通り内側にトナー画像ＴＮが形成されて場合、凸部２２２Ｂａと受け部２２２Ｂｂが用紙束ＰＢを挟み込んで圧着するが、図５（ｂ）に示すように、綴じ部（圧着部）にトナーが紛れ込んだ状態で圧着されることになる。かかる状態では用紙Ｐの繊維間にトナーが入り込んで強固に圧着できないため、圧着力が低下しまう。
【００８２】
本実施形態においては、このようにステープル（針）を用いない針無し綴じ処理においても、綴じ力の低下を抑制することができる記録材処理システムの具体的形態を以下に説明する。
【００８３】
（３）綴じ処理制御
図６は記録材処理システム１００の機能構成を示すブロック図、図７は記録材処理システム１００における綴じ処理の流れを示すフローチャート、図８は記録材処理システム１００における綴じ処理を説明する図である。
【００８４】
（３．１）用紙処理システムの機能構成
図６に示すように、本実施形態における記録材処理システム１００を構成する画像形成装置１は、印刷制御部５０１、修正部５０２、通信部５０３を含むシステム制御装置５０を備え、メモリに記憶された制御プログラムを実行して、画像形成装置１全体の動作制御を行う。
【００８５】
印刷制御部５０１は、給紙装置２０との間の情報授受についての制御の他に、画像形成部１０が備える露光装置１２、感光体ユニット１３、現像装置１４、転写装置１５、定着装置１６等に対して、動作制御指示を与える。
【００８６】
修正部５０２は、画像処理部４０で作成された印刷画像に対して、針無し綴じ部２２２による綴じ部の綴じの形態、例えば綴じ箇所数や綴じ角度によって、綴じ処理を施す用紙Ｐの所定位置とその周辺に形成される画像を修正する。
【００８７】
通信部５０３は、ネットワークＮＷを介して、外部装置からの印刷指示を取得するとともに記録材処理システム１００の個別情報や、動作状態を外部装置に送信する。
【００８８】
後処理装置２００は、画像形成装置１のシステム制御装置５０から用紙Ｐに対する後処理指示を受け付けて、綴じ処理機構２２０で所定の綴じ処理を行う。
【００８９】
（３．２）綴じ処理制御
本実施形態に係る記録材処理システム１００においては、針無し綴じ部２２２による綴じ処理の綴じ箇所数によって、綴じ処理を施す所定位置から修正されない画像の端部までの距離を異ならせて修正する。
具体的には、針無し綴じ部２２２による綴じ処理の綴じ箇所数が複数箇所数であるとき、綴じ箇所数が１箇所である場合に比べて、綴じ処理される位置から消去される画像の端部までの距離が大きくなるように画像を消去する。
【００９０】
図７は、印刷指示を受け付けた場合の記録材処理システム１００における綴じ処理の流れを示すフローチャートである。
記録材処理システム１００は、外部機器としての端末装置から印刷指示を受け付けると（Ｓ１０１）、画像データの読み出しを行う（Ｓ１０２）。次に、この読み出した画像データを画像処理部４０に送り、画像処理部４０は画像データをデコードして印刷画像を作成する（Ｓ１０３）。
【００９１】
そして、システム制御装置５０においては、機器制御命令として綴じ処理（ステープル処理）の指示が含まれているか否かを判断（Ｓ１０４）し、綴じ処理命令が含まれていた場合（Ｓ１０４：Ｙｅｓ）、綴じ処理設定が針無し綴じの綴じ処理か否かを判断する（Ｓ１０５）。
その結果、綴じ処理設定が針無し綴じの綴じ処理であった場合（Ｓ１０５：Ｙｅｓ）、さらに綴じ箇所ＳＰは複数箇所であるか否か判断する（Ｓ１０６）。綴じ箇所ＳＰが複数箇所（２箇所）であった場合（Ｓ１０６：Ｙｅｓ）、修正部５０２は、綴じ箇所数が１箇所である場合（図８（ａ）におけるＳ１参照）に比べて、綴じ処理される位置から消去される画像の端部までの距離が大きくなるように（図８（ｂ）におけるＳ２参照）画像を消去する（Ｓ１０７）。尚、ここで、画像の修正としては、画像を消去しても良いが、画像全体を移動させて綴じ処理される位置から移動される画像の端部までの距離が大きくなるように修正しても良い。
【００９２】
そして、画像処理部４０で作成された印刷画像は、修正部５０２で修正された状態で画像形成部１０で用紙Ｐ上にトナー画像として形成され、用紙Ｐは搬送装置９０を介して後処理装置２００へ搬送されて針無し綴じ部２２２で針無し綴じ処理が施される（Ｓ１０８）。
【００９３】
ステップＳ１０４で綴じ処理命令が含まれていなかった場合（Ｓ１０４：Ｎｏ）、用紙Ｐには綴じ処理を行わず、第１後処理搬送路Ｑ１からトップトレイＴＲ１にそのまま排出する（Ｓ１１０）。
尚、ステップＳ１０５で綴じ処理設定が針無し綴じの綴じ処理でなかった場合（Ｓ１０５：Ｎｏ）、用紙束ＰＢには針有り綴じで綴じ処理が施される（Ｓ１０９）。
【００９４】
このように、綴じ箇所ＳＰが複数箇所である場合、綴じ箇所数が１箇所である場合に比べて、綴じ処理される位置から消去される画像の端部までの距離が大きくなるように画像を消去することで、用紙束ＰＢを構成する用紙Ｐが位置ずれを起こしても、綴じ部に画像（トナー画像）がかかることがなく、綴じ力の低下を抑制することができる。
【００９５】
「変形例１」
図９は、変形例１に係る記録材処理システム１００における綴じ処理を説明する図である。
綴じ箇所ＳＰが複数箇所（２箇所）であった場合（Ｓ１０６：Ｙｅｓ）、修正部５０２は、綴じ箇所数が１箇所である場合（図９（ａ）におけるＳ１参照）に比べて、綴じ処理される位置から消去される画像の端部までの距離が大きくなるように綴じ部の周辺領域における画像を消去してもよい（（図９（ｂ）におけるＳ２参照））。これにより、消去する画像を少なくしながら綴じ力の低下を抑制することができる。
【００９６】
「変形例２」
図１０は、変形例２に係る記録材処理システム１００における綴じ処理を説明する図である。
綴じ箇所ＳＰが複数箇所（２箇所）であった場合（Ｓ１０６：Ｙｅｓ）、修正部５０２は、綴じ箇所数が１箇所である場合（図１０（ａ）におけるＳ１参照）に比べて、後に綴じ処理される位置（ＳＰ２）から消去される画像の端部までの距離（図１０（ｂ）におけるＳ２参照）が、先に綴じ処理される位置（ＳＰ１）から消去される画像の端部までの距離（図１０（ａ）におけるＳ１参照）より大きくなるように画像を消去してもよい。これにより、消去する画像をより少なくしながら綴じ力の低下を抑制することができる。
【００９７】
図１１は綴じ箇所数が複数箇所数である場合の選択画面の表示例を示す図、図１２は綴じ箇所数が複数箇所数である場合の選択画面におけるユーザによる選択のための表示例を示す図である。
システム制御装置５０は、図１１に示すように、綴じ箇所ＳＰが複数箇所（２箇所）であった場合（Ｓ１０６：Ｙｅｓ）、操作表示部３０に綴じ処理される位置から消去される画像の端部までの距離を変更するか選択するための表示を行う。これにより、ユーザに画像を消去する量を変更するかの確認を促すことができる。
【００９８】
また、システム制御装置５０は、図１２に示すように、綴じ箇所ＳＰが複数箇所（２箇所）であった場合（Ｓ１０６：Ｙｅｓ）、操作表示部３０に綴じ処理される位置から消去される画像の端部までの距離を指定するための表示を行うこともできる。これにより、ユーザは画像を消去する量を指定することができる。
【００９９】
「変形例３」
図１３は変形例３に係る記録材処理システム１００における綴じ処理の流れを示すフローチャート、図１４は変形例３に係る記録材処理システム１００における綴じ処理を説明する図である。
記録材処理システム１００は、外部機器としての端末装置から印刷指示を受け付けると（Ｓ２０１）、画像データの読み出しを行う（Ｓ２０２）。次に、この読み出した画像データを画像処理部４０に送り、画像処理部４０は画像データをデコードして印刷画像を作成する（Ｓ２０３）。
【０１００】
そして、システム制御装置５０においては、機器制御命令として綴じ処理（ステープル処理）の指示が含まれているか否かを判断（Ｓ２０４）し、綴じ処理命令が含まれていた場合（Ｓ２０４：Ｙｅｓ）、綴じ処理設定が針無し綴じの綴じ処理か否かを判断する（Ｓ２０５）。
その結果、綴じ処理設定が針無し綴じの綴じ処理であった場合（Ｓ２０５：Ｙｅｓ）、さらに綴じ箇所ＳＰは複数箇所であるか否か判断する（Ｓ２０６）。綴じ箇所ＳＰが複数箇所（２箇所）であった場合（Ｓ２０６：Ｙｅｓ）、印刷画像が形成されるページが１ページ目か否か判断される（Ｓ２０７）。
修正部５０２は、図１４に示すように、綴じ処理される最初の用紙Ｐ（１ページ目）を除いて、綴じ箇所数が１箇所である場合に比べて、綴じ処理される位置から消去される画像の端部までの距離が大きくなるように（図１４における２ページ以降のＳ２参照）画像を消去する（Ｓ２０８）。尚、ここで、画像の修正としては、画像を消去しても良いが、画像全体を移動させて綴じ処理される位置から移動される画像の端部までの距離が大きくなるように修正しても良い。
【０１０１】
そして、画像処理部４０で作成された印刷画像は、修正部５０２で修正された状態で画像形成部１０で用紙Ｐ上にトナー画像として形成され、用紙Ｐは搬送装置９０を介して後処理装置２００へ搬送されて針無し綴じ部２２２で針無し綴じ処理が施される（Ｓ２０９）。
【０１０２】
ステップＳ２０４で綴じ処理命令が含まれていなかった場合（Ｓ２０４：Ｎｏ）、用紙Ｐには綴じ処理を行わず、第１後処理搬送路Ｑ１からトップトレイＴＲ１にそのまま排出する（Ｓ２１２）。
尚、ステップＳ２０５で綴じ処理設定が針無し綴じの綴じ処理でなかった場合（Ｓ２０５：Ｎｏ）、用紙束ＰＢには針有り綴じで綴じ処理が施される（Ｓ２１０）。
【０１０３】
このように、綴じ箇所が複数箇所である場合、綴じ処理される最初の用紙Ｐを除いて、綴じ箇所数が１箇所である場合に比べて、綴じ処理される位置から消去される画像の端部までの距離が大きくなるように画像を消去することで、用紙束ＰＢを構成する用紙Ｐが位置ずれを起こしても、綴じ部に画像（トナー画像）がかかることがなく、綴じ力の低下を抑制することができる。
【０１０４】
「変形例４」
図１５は変形例４に係る記録材処理システム１００における綴じ処理を説明する図、図１６は綴じ枚数に応じて操作表示部３０に表示される表示例を示す図である。
変形例４に係る記録材処理システム１００は、針無し綴じ部２２２による綴じ箇所数が複数箇所数であるとき、綴じ枚数が多いほど綴じ処理される位置から消去される画像の端部までの距離が大きくなるように画像を消去する。
【０１０５】
例えば、図１５（ｂ）に示すように、綴じ枚数が３枚の場合は、綴じ処理される位置から消去される画像の端部までの距離がＳ１となるように画像を消去し、図１５（ａ）に示すように、綴じ枚数が５枚の場合は、綴じ処理される位置から消去される画像の端部までの距離Ｓ２が、綴じ枚数が３枚の場合に、綴じ処理される位置から消去される画像の端部までの距離Ｓ１よりも大きくなるように画像を消去する。これにより、用紙束ＰＢの用紙枚数が多い場合に、綴じ力の低下を抑制することができる。
【０１０６】
そして、操作表示部３０には、図１６に示すように、綴じ枚数が多いほど、綴じ処理される位置から消去される画像の端部までの距離を変更するか選択するための表示を行う。
これにより、綴じ枚数が多い場合に、画像を消去する量を変更するかの確認を促すことができる。
【０１０７】
「変形例５」
図１７は変形例５に係る記録材処理システム１００における綴じ処理時に操作表示部３０に表示される表示例を示す図である。
変形例５に係る記録材処理システム１００は、針無し綴じ部２２２による綴じ箇所数が複数箇所数であるとき、環境湿度が高いほど、綴じ処理される位置から消去される画像の端部までの距離が大きくなるように前記画像を消去する。
そして、操作表示部３０には、図１７に示すように、環境湿度が高いほど、綴じ処理される位置から消去される画像の端部までの距離を変更するか選択するための表示を行う。
これにより、環境湿度が高い場合に、画像を消去する量を変更するかの確認を促すことができる。
【０１０８】
「変形例６」
図１８は変形例６に係る記録材処理システム１００における綴じ処理時に操作表示部３０に表示される表示例を示す図である。
変形例６に係る記録材処理システム１００は、針無し綴じ部２２２による綴じ箇所数が複数箇所数であるとき、用紙Ｐの表面が平滑の場合に比べて表面が粗い場合の方が、綴じ処理される位置から消去される画像の端部までの距離が大きくなるように画像を消去する。
そして、操作表示部３０には、図１８に示すように、用紙Ｐの表面が平滑の場合に比べて表面が粗い場合の方が、綴じ処理される位置から消去される画像の端部までの距離を変更するか選択するための表示を行う。
これにより、用紙Ｐの表面が粗い場合、画像を消去する量を変更するかの確認を促すことができる。
【０１０９】
「変形例７」
図１９は変形例７に係る記録材処理システム１００における綴じ処理を説明する模式図、図２０は変形例７に係る記録材処理システム１００における綴じ処理時に操作表示部３０に表示される表示例を示す図である。
変形例７に係る記録材処理システム１００は、針無し綴じ部２２２による綴じ箇所数が複数箇所数であるとき、用紙Ｐがカールが発生しやすい方が、綴じ処理される位置から消去される画像の端部までの距離が大きくなるように画像を消去する。
【０１１０】
例えば、図１９（ａ）に模式的に示すように、用紙Ｐがカール（図１９（ａ）中  Ｃ参照）しやすい場合、図１９（ｂ）に示すカールが発生しにくい場合に比べて、綴じ処理される位置から消去される画像の端部までの距離Ｓ２がＳ１（図１９（ｂ）中  Ｓ１参照）に比べて大きくなるように画像を消去する。
そして、操作表示部３０には、図２０に示すように、用紙Ｐがカールが発生しやすい方が、綴じ処理される位置から消去される画像の端部までの距離を変更するか選択するための表示を行う。これにより、用紙Ｐがカールしやすい場合に、画像を消去する量を変更するかの確認を促すことができる。
【０１１１】
「第２実施形態」
図２１は本実施形態に係る記録材処理システム１００Ａにおける綴じ処理の流れを示すフローチャート、図２２は本実施形態に係る記録材処理システム１００Ａにおける綴じ処理を説明する図である。
記録材処理システム１００Ａの修正部５０２は、用紙Ｐの側辺に沿わない角度で綴じ処理がなされる場合（コーナステープル）、用紙Ｐの側辺に沿って綴じ処理がなされる場合に比べて、綴じ処理される位置から修正される画像の端部までの距離が小さくなるように画像を修正する。
【０１１２】
記録材処理システム１００は、外部機器としての端末装置から印刷指示を受け付けると（Ｓ３０１）、画像データの読み出しを行う（Ｓ３０２）。次に、この読み出した画像データを画像処理部４０に送り、画像処理部４０は画像データをデコードして印刷画像を作成する（Ｓ３０３）。
【０１１３】
そして、システム制御装置５０においては、機器制御命令として綴じ処理（ステープル処理）の指示が含まれているか否かを判断（Ｓ３０４）し、綴じ処理命令が含まれていた場合（Ｓ３０４：Ｙｅｓ）、綴じ処理設定が針無し綴じの綴じ処理か否かを判断する（Ｓ３０５）。
その結果、綴じ処理設定が針無し綴じの綴じ処理であった場合（Ｓ３０５：Ｙｅｓ）、さらに綴じ処理は用紙Ｐの側辺に沿わない角度で施されるか否か判断する（Ｓ３０６）。綴じ処理が用紙Ｐの側辺に沿わない角度で施される場合（Ｓ３０６：Ｙｅｓ  図２２（ａ）参照）、修正部５０２は、用紙Ｐの側辺に沿って綴じ処理がなされる場合（図２２（ｂ）参照）に比べて、綴じ処理される位置から修正される画像の端部までの距離Ｓ２が小さくなるように画像を修正する（Ｓ３０７）。尚、ここで、画像の修正としては、画像を消去しても良いが、画像全体を移動させて綴じ処理される位置から移動される画像の端部までの距離が小さくなるように修正しても良い。
【０１１４】
そして、画像処理部４０で作成された印刷画像は、修正部５０２で修正された状態で画像形成部１０で用紙Ｐ上にトナー画像として形成され、用紙Ｐは搬送装置９０を介して後処理装置２００へ搬送されて針無し綴じ部２２２で針無し綴じ処理が施される（Ｓ３０８）。
【０１１５】
ステップＳ３０４で綴じ処理命令が含まれていなかった場合（Ｓ３０４：Ｎｏ）、用紙Ｐには綴じ処理を行わず、第１後処理搬送路Ｑ１からトップトレイＴＲ１にそのまま排出する（Ｓ３１０）。
尚、ステップＳ３０５で綴じ処理設定が針無し綴じの綴じ処理でなかった場合（Ｓ３０５：Ｎｏ）、用紙束ＰＢには針有り綴じで綴じ処理が施される（Ｓ３０９）。
【０１１６】
このように、綴じ方向が用紙Ｐの側辺に沿わない角度で綴じ処理がなされる（コーナステープル  図２２（ａ）におけるＳ２参照）場合に、綴じ方向が用紙Ｐの側辺に沿う場合（図２２（ｂ）におけるＳ１参照）に比べて、綴じ処理される位置から消去される画像の端部までの距離が小さくなるように画像を消去することで、消去する画像を少なくして、綴じ部に画像（トナー画像）がかかっても、綴じ力の低下を抑制することができる。
【０１１７】
「変形例１」
図２３は変形例１に係る記録材処理システム１００Ａにおける綴じ処理を説明する模式図、図２４は綴じ角度が変更された場合に操作表示部３０に表示される表示例を示す図、図２５は綴じ角度が変更された場合の選択画面におけるユーザによる選択のための表示例を示す図である。
変形例１に係る記録材処理システム１００Ａにおいて、修正部５０２は、用紙Ｐの側辺Ｌに対する綴じ処理の綴じ角度Θが小さいほど、綴じ処理される位置から修正される画像の端部までの距離Ｓが大きくなるように画像を修正する。
【０１１８】
具体的には、図２３（ａ）、（ｂ）、（ｃ）に示すように、用紙Ｐの側辺Ｌに対する綴じ処理の綴じ角度Θ２（約３０度）である場合の綴じ処理される位置から修正される画像の端部までの距離Ｓ２（図２３（ｂ）参照）は、綴じ角度Θ１（約４５度）である場合の綴じ処理される位置から修正される画像の端部までの距離Ｓ１（図２３（ａ）参照）よりも大きく、用紙Ｐの側辺Ｌに対する綴じ処理の綴じ角度Θ３（約１５度）である場合の綴じ処理される位置から修正される画像の端部までの距離Ｓ３（図２３（ｃ）参照）は、綴じ角度Θ２（約３０度）である場合の綴じ処理される位置から修正される画像の端部までの距離Ｓ２（図２３（ｂ）参照）よりも大きくなるように画像を修正する。これにより、綴じ角度に応じて、消去する画像を少なくしつつ、綴じ力の低下を抑制することができる。
【０１１９】
システム制御装置５０は、図２４に示すように、綴じ角度が変更された場合、操作表示部３０に綴じ処理される位置から消去される画像の端部までの距離を変更するか選択するための表示を行う。これにより、ユーザに画像を消去する量を変更するかの確認を促すことができる。
【０１２０】
また、システム制御装置５０は、図２５に示すように、綴じ角度が変更された場合、操作表示部３０に綴じ処理される位置から消去される画像の端部までの距離を指定するための表示を行うこともできる。これにより、ユーザは画像を消去する量を指定することができる。
【０１２１】
「変形例２」
図２６は変形例２に係る記録材処理システム１００Ａにおける綴じ処理を説明する模式図である。
変形例２に係る記録材処理システム１００Ａにおいて、修正部５０２は、用紙Ｐの側辺同士が交差する角部に向って綴じ処理がなされる場合（コーナステープル）、図２６に示すように、綴じ処理される位置に画像がかかるように画像を修正する（図２６中  −Ｓ参照）。
すなわち、コーナステープルの場合、綴じ処理される綴じ部ＳＰの一部に画像がかかった場合でも、用紙Ｐの側辺Ｌに沿った綴じ処理に比べて、綴じ部における画像（トナー像）のかかる領域は少なく、綴じ部（圧着部）にトナーが紛れ込んだ状態で圧着されることによる圧着力の低下は少ない。そのために、綴じ方向が用紙Ｐの側辺Ｌに沿わない場合に、消去する画像を少なくすることができる。
【０１２２】
「変形例３」
図２７は変形例３に係る記録材処理システム１００Ａにおける綴じ処理時に操作表示部３０に表示される表示例を示す図である。
変形例３に係る記録材処理システム１００Ａは、綴じ処理が用紙Ｐの側辺Ｌに沿わない角度で施される場合、画像の画像情報に応じて、綴じ処理される位置から修正される画像の端部までの距離を変更する。ここで、画像情報としては、画像がべた画像か否か、画像密度が高いか否か等の画像密度が挙げられる。具体的には、画像の画像密度が高い場合には、綴じ処理される位置から修正される画像の端部までの距離を大きくする。これにより、画像の画像情報に応じて、綴じ力の低下を抑制することができる。
【０１２３】
そして、操作表示部３０には、図２７に示すように、画像の画像情報に応じて、綴じ処理される位置から修正される画像の端部までの距離を変更するか選択するための表示を行う。これにより、画像の画像情報に応じて、綴じ処理位置から画像の端部までの距離を変更するかの確認を促すことができる。
【０１２４】
「変形例４」
図２８は変形例４に係る記録材処理システム１００Ａにおける綴じ処理の流れを示すフローチャート、図２９は変形例４に係る記録材処理システム１００Ａにおける綴じ処理を説明する図である。
記録材処理システム１００Ａの修正部５０２は、綴じ処理の綴じ角度に応じて、画像の縮小又は移動の基点を異ならせて、綴じ処理される位置から修正される画像の端部までの距離を変更する。
【０１２５】
記録材処理システム１００は、外部機器としての端末装置から印刷指示を受け付けると（Ｓ４０１）、画像データの読み出しを行う（Ｓ４０２）。次に、この読み出した画像データを画像処理部４０に送り、画像処理部４０は画像データをデコードして印刷画像を作成する（Ｓ４０３）。
【０１２６】
そして、システム制御装置５０においては、機器制御命令として綴じ処理（ステープル処理）の指示が含まれているか否かを判断（Ｓ４０４）し、綴じ処理命令が含まれていた場合（Ｓ４０４：Ｙｅｓ）、綴じ処理設定が針無し綴じの綴じ処理か否かを判断する（Ｓ４０５）。
その結果、綴じ処理設定が針無し綴じの綴じ処理であった場合（Ｓ４０５：Ｙｅｓ）、さらに綴じ処理は用紙Ｐの側辺に沿わない角度で施されるか否か判断する（Ｓ４０６）。綴じ処理が用紙Ｐの側辺に沿わない角度で施される場合（Ｓ４０６：Ｙｅｓ  図２９（ａ）参照）、修正部５０２は、綴じ処理される位置から修正される画像Ｇの端部までの距離Ｓが最も小さくなる点を画像Ｇの縮小又は移動の起点として（Ｓ４０７）、綴じ処理される位置から修正される画像Ｇの端部までの距離を変更する（Ｓ４０８  図２９（ａ）における矢印参照）。
【０１２７】
そして、画像処理部４０で作成された印刷画像は、修正部５０２で修正された状態で画像形成部１０で用紙Ｐ上にトナー画像として形成され、用紙Ｐは搬送装置９０を介して後処理装置２００へ搬送されて針無し綴じ部２２２で針無し綴じ処理が施される（Ｓ４０９）。
【０１２８】
ステップ４０６で綴じ処理が用紙Ｐの側辺に沿う角度で施される場合（Ｓ４０６：Ｎｏ  図２９（ｂ）参照）、修正部５０２は、綴じ処理される位置における画像Ｇを修正する（Ｓ４１０  図２９（ｂ）参照）。そして、画像処理部４０で作成された印刷画像は、修正部５０２で修正された状態で画像形成部１０で用紙Ｐ上にトナー画像として形成され、用紙Ｐは搬送装置９０を介して後処理装置２００へ搬送されて針無し綴じ部２２２で針無し綴じ処理が施される（Ｓ４０９）。
【０１２９】
ステップＳ４０４で綴じ処理命令が含まれていなかった場合（Ｓ４０４：Ｎｏ）、用紙Ｐには綴じ処理を行わず、第１後処理搬送路Ｑ１からトップトレイＴＲ１にそのまま排出する（Ｓ４１２）。
尚、ステップＳ４０５で綴じ処理設定が針無し綴じの綴じ処理でなかった場合（Ｓ４０５：Ｎｏ）、用紙束ＰＢには針有り綴じで綴じ処理が施される（Ｓ４１１）。
【０１３０】
このように、綴じ処理の綴じ角度に応じて、画像の縮小又は移動の基点を異ならせて、綴じ処理される位置から修正される画像の端部までの距離を変更することで、綴じ処理の綴じ角度に応じて、消去する画像を少なくすることができる。
【０１３１】
「変形例５」
図３０は変形例５に係る記録材処理システム１００Ａにおける綴じ処理を説明する図である。
変形例５に係る記録材処理システム１００Ａは、用紙Ｐの側辺同士が交差する角部に向って綴じ処理がなされる場合、用紙Ｐに対する画像Ｇの向きに応じて、綴じ処理される位置と画像Ｇの端部までの距離が最も短い領域の画像を修正する。
具体的には、図３０（ａ）に示すように、画像Ｇが縦方向（縦向き）で綴じ処理後に左右開きで使用される場合には、綴じ処理される位置から修正される画像の端部までの距離を大きくする。また、図３０（ｂ）に示すように、画像Ｇが横方向（横向き）で綴じ処理後に上下開きで使用される場合には、綴じ処理される位置から修正される画像の端部までの距離を大きくする。これにより、画像の向きに応じて、綴じ力の低下を抑制することができる。
【符号の説明】
【０１３２】
１００、１００Ａ・・・記録材処理システム  
１・・・画像形成装置
１０・・・画像形成部
１３・・・感光体ユニット
１４・・・現像装置
１５・・・転写装置
１６・・・定着装置
２０・・・給紙装置
３０・・・操作表示部
４０・・・画像処理部
５０・・・システム制御装置
２・・・用紙処理装置
９０・・・搬送装置
２００・・・後処理装置
２０１・・・受け取りローラ
２０２、２０３、２０４・・・搬送ローラ
２０５・・・トップ排出ローラ
２１０・・・コンパイルトレイ
２２０・・・綴じ処理機構
２２１・・・針有り綴じ部
２２２・・・針無し綴じ部  
【図１】
2020016802.tif 000003
【図２】
2020016802.tif 000004
【図３】
2020016802.tif 000005
【図４】
2020016802.tif 000006
【図５】
2020016802.tif 000007
【図６】
2020016802.tif 000008
【図７】
2020016802.tif 000009
【図８】
2020016802.tif 000010
【図９】
2020016802.tif 000011
【図１０】
2020016802.tif 000012
【図１１】
2020016802.tif 000013
【図１２】
2020016802.tif 000014
【図１３】
2020016802.tif 000015
【図１４】
2020016802.tif 000016
【図１５】
2020016802.tif 000017
【図１６】
2020016802.tif 000018
【図１７】
2020016802.tif 000019
【図１８】
2020016802.tif 000020
【図１９】
2020016802.tif 000021
【図２０】
2020016802.tif 000022
【図２１】
2020016802.tif 000023
【図２２】
2020016802.tif 000024
【図２３】
2020016802.tif 000025
【図２４】
2020016802.tif 000026
【図２５】
2020016802.tif 000027
【図２６】
2020016802.tif 000028
【図２７】
2020016802.tif 000029
【図２８】
2020016802.tif 000030
【図２９】
2020016802.tif 000031
【図３０】
2020016802.tif 000032